(57)【要約】【課題】  取付台を含む上顎と下顎の各診断模型の成形作業と、咬合診断器の基定板に対する各診断模型のマウント作業を、頗る簡単に、且つ、正確に行えるように工夫した咬合診断器を提供する。【解決手段】  咬合診断器１を構成する下顎と上顎の各診断模型ＭＫ，ＮＫを取付ける各基定板９，３の取付面に、各診断模型ＭＫ，ＮＫの底面に形成した位置決め部ＮＫ１，ＭＫ１に合致して位置決めする規定部５，１０と、各診断模型ＭＫ，ＮＫの底面に取付けた磁性板ＺＲに吸着して、各診断模型ＭＫ，ＮＫを各基定板９，３に取付けることができるマグネット５Ｍ，１０Ｍを設ける。【選択図】    図１
2007037807.tif 000002
【特許請求の範囲】
【請求項１】
上顎の診断模型を取付ける上顎基定板と、下顎の診断模型を取付ける下顎基定板を上下平行に設けると共に、上顎基定板を下顎基定板に対して上下に平行移動できるように構成して、これ等両基定板に取付けた上顎と下顎の各診断模型を相互に咬合させることにより、咬合の正否を診断するように構成した咬合診断器であって、
上記上顎と下顎の診断模型を取付ける各基定板の取付面に、診断模型の底面に形成されている凹溝状又は凸状の位置決め部に合致して、診断模型の取付け位置を決めることができる凸状又は凹溝状の規定部と、診断模型の底面に取付けられている磁性板に吸着して、診断模型を基定板側に固定することができるマグネットを設けたことを特徴とする咬合診断器。
【請求項２】
前記上顎基定板が、上顎診断模型のマウント作成に際して、前記規定部とマグネットを設けた取付面を上向き状態にセットできるように、咬合診断器の器体に対して１８０゜上向き方向に回動自在に軸支されていることを特徴とする請求項１に記載の咬合診断器。
【請求項３】
前記上顎と下顎の各基定板の取付面に対して、その中央部にマグネットが設けられ、マグネットを中心とする放射方向に複数本の凸状又は凹溝状を成す規定部が設けらていることを特徴とする請求項１又は２に記載の咬合診断器。
【請求項４】
下顎基定板の取付面と、１８０゜上向き方向に回動した上顎基定板の取付面に対して石膏を盛り込んだ後、これ等各石膏の上に下顎と上顎の各診断模型を載置して、石膏が硬化するまで輪ゴム等を用いて各診断模型を各基定板側に固定し、その後、形態成形や表面処理等の各種工程を済ませることにより、各基定板の取付面にマウント用の取付台を一体に連設した各診断模型を成形するに当たって、
上記石膏の盛り込みによって、各基定板の取付面に設けられている規定部が、各診断模型に一体に連設されるマウント用取付台の底面に対して、当該規定部に対応して合致可能な位置決め部が成形されると共に、上記石膏の盛り込みに際して、係止爪を喰い込ませた状態で上記盛り込まれた石膏の底面に磁性板を介在させることにより、石膏の硬化によって各診断模型に連設され、且つ、上記位置決め部が成形されるマウント取付台の底面に、上記の磁性板が取付けられることを特徴とする請求項１、２又は３に記載の咬合診断器。
【発明の詳細な説明】
【技術分野】
【０００１】
本発明は、上顎と下顎の咬合状態を診断する場合に用いて好適な咬合診断器（Ｏｒｔｈｏｐｅｄｉｃ  Ｒｅｌａｔｏｒ）に関するものである。
【背景技術】
【０００２】
一般に「リレーター」又は「バランサー」と称されて使用されている咬合診断器は、診断模型から咬合に関する多くの情報を得ることができるだけでなく、治療方針の決定、技工操作、更には診断模型の標準化等、多様な機能を備えていて、口腔内科学的診断及び治療は全てこの診断器による診断結果を基準にして進められている。    
【０００３】
上顎と下顎の咬合の正否、即ち、上下顎の歯牙が正しい位置で接触しているか否かは、健康と五感を持続させるために不可欠な要素であって、正常な咬合は口腔周囲組織に対して咬合圧が出牙を介して均等に分散するため、組織障害がなく、本来の機能（反射、神経、筋肉等の機能）を正常に営むことを可能にするが、咬合異常の場合は、左右の顎関節、具体的には顎関節の周囲筋肉の動きが不均等になって、脳への刺激（情報）、脳からの反応（命令伝達系統）に遅れが生じたり、姿勢や顔貌に変化が生じたりする問題がある。
【０００４】
この様に重要な咬合の正否を診断することができる上記の咬合診断器は、患者から採得した印象に石膏を注入することによって造った上顎と下顎後の各診断模型を、咬合診断器の上顎用と下顎用の各基定板に上下に対向させて取付け、これ等上下の顎を相互に咬合させることによって、咬合の正否を診断するものであって、各診断模型を各基定板に位置決めして取付けるには、例えば、特許文献１に記載されているように、各基定板の中央部に設けたブレードと、このブレードに設けた挿通穴に挿通自在な固定棒を用いて取付けていた。
【特許文献１】特開平１１−２７６５０６号公報
【０００５】
図１０乃至図１３は上記従来の構成、具体的には、診断模型の取付け構造を説明したものであって、図１０は従来の咬合診断器の側面図、図１１は診断模型をマウントした従来の咬合診断器の斜視図、図１２は従来の取付構造を説明した診断模型の底面図、図１３は上顎基定板を１８０゜開いて示した従来の咬合診断器の平面図であって、これ等の図面に於いて符号１００で全体的に示した咬合診断器は、大別して基板１０２と、この基板１０２に凹設したスライド溝１０２Ａの内部に正中線の方向（マウントする診断模型の正中口蓋縫線の方向）に移動自在に嵌込んだ下顎基定板１０３と、この下顎基定板１０３の上側に平行に、且つ、上下に平行移動（昇降移動）自在に設けた上顎基定板１０９と、これ等上下の基定板１０９，１０３の中間に平行にセットされる咬合平面板１１１とによって構成されている。
【０００６】
１０４，１０４は下顎基定板１０３の移動を固定する締付ネジ、１０５は下顎基定板１０３の上面中央部で、且つ、上記正中線の方向（スライド方向）に沿って設けた下顎中央ブレード、１０５Ａはこの中央ブレード１０５に設けた固定棒１１６Ｔ（図１１〜図１３参照）用の挿通穴を示し、更に１１６は上記固定棒１１６Ｔの把っ手を示す。
【０００７】
１０６は上記基板１０２の一側に立設したガイド柱、１０７はこのガイド柱１０６に対向させて基板１０２の他側に立設した昇降柱、１０８は一端部を昇降柱１０７に固定し、他端部をガイド柱１０６に装着した昇降板で、昇降柱１０７は上端に設けた摘み１０７Ａを回転操作することにより、ボルトとナットの噛合によって上下動して、昇降板１０８をガイド柱１０６にガイドさせながら基板１０２（下顎基定板３）に対して平行に上下動する仕組に成っている。
【０００８】
上記の上顎基定板１０９は、図１３に示すようにその根端部の下側に横架した回動支持軸１０９Ｚの両端部を、上記昇降板１０８の背面に突設した左右のブラケット１０９Ｈに回動自在に軸支せしめることにより、図１０、図１１に示した下顎基定板１０３の上側位置と、図１３に示すように後方１８０゜に開いた位置に夫々回動できるように構成されている。１１０は上顎基定板１０９の底面中央部に正中線に沿って設けた上顎中央ブレード、１１０Ａはこの中央ブレード１０に設けた固定棒１１５Ｔ（図１１乃至図１３参照）用の挿通穴で、１１５は固定棒１１５Ｔの把っ手を示す。
【０００９】
また、１０３Ｔと１０９Ｂは上記下顎基定板１０３と上顎基定板１０９の根端側に夫々上下対向させて突設した診断模型の支持板、１０８Ｒは上述したガイド柱１０６に取付けた締付ネジで、上顎基定板１０９を下顎基定板１０３の上側位置に回動すると、上顎基定板１０９を下顎基定板１０３に対して平行にセットでき、且つ、上記昇降柱１０７の摘み１０７Ａを回転操作することによって、上顎基定板１０９を平行状態を維持しながら上下に移動すると共に、上記の締付ネジ１０８Ｒを締付けることによってその移動位置を保持できるように構成されている。
【００１０】
図１０は、患者から採得した印象に石膏を注入して造った上顎の診断模型ＭＫを、上下の基定板１０９，１０３の間に、前記支持板１０３Ｔと、支持脚１１１Ｂに支持された状態で平行に配設された咬合平面板１１１の上面に、そのＨ．Ｉ．Ｐ．平面が平行になるようにセットした状態を示したものであって、セットに当っては先ず診断模型ＭＫの切歯乳頭の部分に予め埋め込んである切歯ピンＰＮ（図示省略照）を、咬合平面板１１１の嵌込穴１１１Ａに嵌込んだ切歯ピンホルダー１１２の差込穴に差込む一方、同じく咬合平面板１１１の後端側上面に載置した支持軸付きのＴバー１１４の上に、診断模型ＭＫを咬合平面板１１の上面に対して平行にセットする。
【００１１】
次いで、上顎基定板１０９を図１３に示した状態に１８０゜開いて、上顎中央ブレード１１０の挿通穴１１０Ａに固定棒１１５Ｔを差込み、上記咬合平面板１１１上に支持された診断模型ＭＫの上面と、この開いた上顎基定板１０９の上に石膏を盛った後、上顎基定板１０９を元の位置に閉じ回動して、診断模型ＭＫを輪ゴムで石膏が硬化するまで上顎基定板１０９側に固定すれば、上顎診断模型ＭＫを上顎基定板１０９にマウントできる状態に造ることができる。
【００１２】
その後、形態成形、表面処理等の各種処理を施すことにより、図１１に示すように上側部にマウント用の取付台ＭＳを一体形成し、且つ、咬合平面板１１１の上面に対してＨ．Ｉ．Ｐ．平面を平行な状態にセット可能な上顎診断模型ＭＫを造ることができる。
【００１３】
尚、下顎診断模型ＮＫは、先ず、上記上顎基定板１０９にマウントした上顎診断模型ＭＫに対して咬合させた状態にして輪ゴムで固定し、その後、下顎中央ブレード１０５の挿通穴１０５Ａに固定棒１１６Ｔを差込み、且つ、この下顎診断模型ＮＫと下顎基定板１０３の間に石膏を盛り込んで、石膏が硬化する迄両基定板１０３，１０９を輪ゴム等で固定し、次いで、形態成形、表面処理等の各種処理を施すことによって、図１１に示したように下側部にマウント用の取付台ＮＳを一体成形した下顎診断模型ＮＫを造ることができる。
【００１４】
図１２は、以上の如く取付台ＭＳ，ＮＳを一体成形した上顎診断模型ＭＫと下顎診断模型ＮＫの底面図を示したものであって、図中、ＭＫ１、ＮＫ１は上記上顎中央ブレード１１０及び下顎中央ブレード１０５によって形成（凹設）されたブレード溝、ＭＫ２，ＮＫ２は上記固定棒１１５Ｔ及び１１６Ｔによって形成された固定穴で、上記の如く成形した各診断模型ＭＫ，ＮＫを用いて咬合異常を診断するには、各各診断模型ＭＫ，ＮＫを、図１１に示すように各基定板１０９，１０３に対して各ブレード溝ＭＫ１，ＮＫ１内に各中央ブレード１１０，１０５を嵌め合わせ、且つ、各固定棒１１５Ｔ，１１６Ｔを各固定穴ＭＫ２，ＮＫ２内、及び、各中央ブレード１１０，１０５の挿通穴１１０Ａ，１０５Ａを挿通するように挿入することにより、各診断模型ＭＫ，ＮＫを位置合せした状態で各基定板１０９，１０３に固定（マウント）して、診断を行う仕組みに成っている。
【発明の開示】
【発明が解決しようとする課題】
【００１５】
ところが、上記各診断模型ＭＫ，ＮＫの成形に際して、石膏の盛り込みによって取付台ＭＳ，ＮＳの底面に位置合せ用と固定用のブレード溝ＭＫ１、ＮＫ１と、固定穴ＭＫ２，ＮＫ２とを夫々正確に造る必要があり、これに、患者から採得した印象に石膏を注入して成形する極めて煩雑な作業が相乗して、診断模型ＭＫ，ＮＫの成形作業を益々難しいものにしていた。
【００１６】
また、以上の如く成形した各診断模型ＭＫ，ＮＫを各基定板１０９，１０３にマウントするには、各診断模型ＭＫ，ＮＫに一体に連設した取付台ＭＳ，ＮＳに形成されているブレード溝ＭＫ１，ＮＫ１内に、各中央ブレード１１０，１０５を上記挿通穴１１０Ａ，１０５Ａと固定穴ＭＫ２，ＮＫ２を位置合せた状態で嵌め込み、次いで、これ等合致した挿通穴１１０Ａ，１０５Ａと固定穴ＭＫ２，ＮＫ２に図１１に示すように固定棒１１５Ｔ，１１６Ｔを挿通する必要があるため、その位置合せと取付け作業が面倒で、マウント作業に時間が掛かってしまう問題があった。
【００１７】
従って本発明の技術的課題は、取付台を含む上顎と下顎の各診断模型の成形作業と、咬合診断器の基定板に対する各診断模型のマウント作業を、頗る簡単に、且つ、正確に行えるように工夫した咬合診断器を提供することである。
【課題を解決するための手段】
【００１８】
（１）  上記の技術的課題を解決するために、本発明の請求項１に係る咬合診断器は、顎の診断模型を取付ける上顎基定板と、下顎の診断模型を取付ける下顎基定板を上下平行に設けると共に、上顎基定板を下顎基定板に対して上下に平行移動できるように構成して、これ等両基定板に取付けた上顎と下顎の各診断模型を相互に咬合させることにより、咬合の正否を診断するように構成した咬合診断器であって、上記上顎と下顎の診断模型を取付ける各基定板の取付面に、診断模型の底面に形成されている凹溝状又は凸状の位置決め部に合致して、診断模型の取付け位置を決めることができる凸状又は凹溝状の規定部と、診断模型の底面に取付けられている磁性板に吸着して、診断模型を基定板側に固定することができるマグネットを設けたことを特徴とする咬合診断器。
【００１９】
（２）  また、本発明の請求項２に係る咬合診断器は、前記上顎基定板が、上顎診断模型のマウント作成に際して、前記規定部とマグネットを設けた取付面を上向き状態にセットできるように、咬合診断器の器体に対して１８０゜上向き方向に回動自在に軸支されていることを特徴としている。
【００２０】
（３）  また、本発明の請求項３に係る咬合診断器は、前記上顎と下顎の各基定板の取付面に対して、その中央部にマグネットが設けられ、マグネットを中心とする放射方向に複数本の凸状又は凹溝状を成す規定部が設けらていることを特徴としている。
【００２１】
（４）  更に本発明の請求項４に係る咬合診断器は、下顎基定板の取付面と、１８０゜上向き方向に回動した上顎基定板の取付面に対して石膏を盛り込んだ後、これ等各石膏の上に下顎と上顎の各診断模型を載置して、石膏が硬化するまで輪ゴム等を用いて各診断模型を各基定板側に固定し、その後、形態成形や表面処理等の各種工程を済ませることにより、各基定板の取付面にマウント用の取付台を一体に連設した各診断模型を成形するに当たって、上記石膏の盛り込みによって、各基定板の取付面に設けられている規定部が、各診断模型に一体に連設されるマウント用取付台の底面に対して、当該規定部に対応して合致可能な位置決め部が成形されると共に、上記石膏の盛り込みに際して、係止爪を喰い込ませた状態で上記盛り込まれた石膏の底面に磁性板を介在させることにより、石膏の硬化によって各診断模型に連設され、且つ、上記位置決め部が成形されるマウント取付台の底面に、上記の磁性板が取付けられることを特徴としている。
【００２２】
上記（１）で述べた請求項１に係る手段によれば、上顎と下顎の各診断模型を上顎基定板と下顎基定板に取付ける場合は、各診断模型の底面に設けた位置決め部を、各基定板に設けた規定部に合致させ、且つ、各診断模型の底面に取付けられている磁性板を、各基定板に設けたマグネットに吸着させるだけで、各診断模型を各基定板に対して位置決めした状態で簡単に取付けることができ、更に、その取り外しも極めて簡単に行うことを可能にする。
【００２３】
また、上述した各診断模型を成形する場合は、各基定板の取付面に設けたマグネットの位置に磁性板を配置した状態で、各取付面に石膏を盛り込むと共に、患者から採得した印象に石膏を注入して造った各診断模型を、輪ゴムを用いて上記盛り込んだ石膏が硬化するまで各基定板側に固定すれば、石膏の盛り込みによって一体形成された取付台の底面に、各基定板側の規定部に対応する位置決め部を形成し、且つ、マグネット吸着用の磁性板を取付けた上顎と下顎の各診断模型を簡単に成形することを可能にする。
【００２４】
上記（２）で述べた請求項２に係る手段によれば、前記上顎基定板を用いて上顎診断模型を造る場合に、上顎基定板を１８０゜上向き方向に回動して、その取付面を上向きにすることにより、取付面に対する石膏の盛り込みや、この盛り込んだ石膏の上に診断模型を載せて輪ゴム等で上顎基定板に固定することによって、上顎診断模型に取付台を一体形成し、且つ、この取付台の底面に位置決め用の位置決め部を設けると共に、取付け用の磁性板を取付ける作業を、極めて簡単に行うことを可能にする。
【００２５】
上記（３）と（４）で述べた請求項３と４に係る各手段によれば、各診断模型に一体形成した取付台の底面に対して、その中央部に係止爪を喰い込ませた状態で磁性板を取付け、且つ、この磁性板と中心とする放射方向に複数本の位置決め部を形成することができると共に、これ等中央部に取付けた磁性板と、放射方向に設けた複数本の位置決め部とによって、各診断模型を各基定板に対して位置決めした状態で極めて簡単に、且つ、確実に取付けることを可能にする。
【発明の効果】
【００２６】
以上述べた次第で、本発明に係る咬合診断器によれば、前述したブレードと固定棒用いていた従来の咬合診断器に比較して、上顎及び下顎の各診断模型、特に、取付台部分の成形作業と、これ等成形した各診断模型の各基定板に対する取付け作業を、極めて簡単に、且つ、正確に行うことができるものであって、咬合診断器を用いた上顎と下顎の咬合診断を、適格に、また、迅速に行うことができる利点を発揮することができる。
【発明を実施するための最良の形態】
【００２７】
以下に、本発明に係る咬合診断器の実施の携帯を図面と共に説明すると、図１は本発明の全体を示した斜視図、図２はその側面図、図３は上顎基定板を１８０゜開いた状態を示した平面図であって、これ等の図面に於いて符号１で全体的に示した咬合診断器は、大別して基板２と、この基板２に凹設したスライド溝２Ａの内部に正中線の方向（マウントする診断模型の正中口蓋縫線の方向）に移動自在に嵌込んだ下顎基定板３と、この下顎基定板３の上側に平行に、且つ、上下に平行移動自在に設けた上顎基定板９と、これ等上下の基定板９，３の中間に平行にセットされる咬合平面板１１とによって構成されている。
【００２８】
３Ａは上記下顎基定板３の前面に表示したメジャー、４，４は下顎基定板３の移動を固定する締付ネジ、６は上記基板２の一側に立設したガイド柱、７はこのガイド柱６に対向させて基板２の他側に立設した昇降柱、８は一端部８Ａを昇降柱７に固定し、他端部をガイド柱６に装着した昇降板で、昇降柱７は上端に設けた摘み７Ａを回転操作することにより、ボルトとナットの噛合によってセンター軸（図示省略）に沿って上下動して、昇降板８をガイド柱６にガイドさせながら基板２（下顎基定板３）に対して平行に上下動する仕組に成っており、また、この昇降板８の上下動はガイド柱６の前面に表示したメジャー６Ａで計測できるように構成されている。
【００２９】
上記の上顎基定板９は、図２と３に示すようにその根端部の下側に横架した回動支持軸９Ｚの両端部を、上記昇降板８の背面に突設した左右のブラケット９Ｈに回動自在に軸支せしめることにより、図１と図２に示した下顎基定板３の上側位置と、図２の仮想線及び図３に示すように、後方に１８０゜開いた位置に夫々回動できるように構成されている。９Ａは上顎基定板９の前面に形成したメジャーを示す。
【００３０】
また、３Ｔと９Ｂは上記下顎基定板３と上顎基定板９の根端側に夫々上下対向させて突設した診断模型の支持板、８Ｒは上述したガイド柱６に取付けた締付ネジで、図１、図２に示すように上顎基定板９を下顎基定板３の上側位置に回動位置させると、上顎基定板９を下顎基定板３に対して平行にセットでき、且つ、上記昇降柱７の摘み７Ａを回転操作することによって、上顎基定板９を平行状態を維持しながら上下に移動すると共に、上記の締付ネジ８Ｒを締付けることによって、その移動位置を締め付け固定できるように構成されている。
【００３１】
上述した咬合平面板１１は、根端部の底面に左右２本の軸筒１１Ｃ（図２に一方のみを記載）を設け、先端部の底面には略Ｔ字型に形成した支持脚１１Ｂが設けられていて、左右の軸筒１１Ｃを上述した下顎基定板３に設けた支持板３Ｔの上面に突設されている左右の支持ピン３Ｓ（図２に一方のみを記載）に嵌合する一方、支持脚１１Ｂの下端を下顎基定板３の上面に載置することによって、咬合平面板１１を上下の基定板９と３の中間に平行にセットできる仕組に成っている。
【００３２】
尚、図１と図２において、１１Ａは咬合平面板１１の前部側で、且つ、正中線上に穿設した切歯ピンホルダー１２用の嵌込穴で、この切歯ピンホルダー１２は上面にピンの差込穴１２Ａを設け、底面に上記嵌込穴１１Ａに差込む差込軸１２Ｂ（図２参照）を突設した構成に成っていて、使用しない時は図１に示すようにガイド軸６の上端部に嵌込みセットされている。
【００３３】
次に、以上の如く構成した咬合診断機１を用いて上顎と下顎の診断模型ＭＫ，ＮＫを造る手順、即ち、各診断模型ＭＫ，ＮＫを夫々上顎基定板９と下顎基定板３にマウントできる状態に造るための構成と、その手順を図面と共に説明する。
【００３４】
図１乃至図３において、５Ｍと１０Ｍは上記下顎基定板３と上顎基定板９の上面と底面（図２、図３の如く上顎基定板９を１８０゜回動した場合は上面）、即ち、上記各診断模型ＮＫ，ＭＫを取付ける取付面の中央部に設けた診断模型取付け用のマグネット、５…及び１０…は、これ等マグネット５Ｍ，１０Ｍを中心にして、上記各基定板３，９の取付面に放射方向に設けた診断模型位置決め用の規定部で、図面ではこれ等各規定部５…、１０…が凸状に形成されているが、これ等を凹溝状に形成してもよく、その選択は任意とする。
【００３５】
図７は、患者から採得した印象に石膏を注入して造った上顎の診断模型ＭＫを、上下の基定板９，３の間に平行に配設した咬合平面板１１の上面に、そのＨ．Ｉ．Ｐ．平面が平行になるようにセットした状態を示したものであって、セットに当っては先ず診断模型ＭＫの切歯乳頭の部分に予め埋め込んである切歯ピンＰＮ（図９参照）を、咬合平面板１１の嵌込穴１１Ａに嵌込んだ切歯ピンホルダー１２の差込穴１２Ａに差込む一方、同じく咬合平面板１１の後端側上面に載置した支持軸１４Ａ付きのＴバー１４の上に、診断模型ＭＫに予め印記した左右の鉤切痕ＥＤ，ＥＤ（図９参照）の部分を乗せ、更に、同じく予め印記した正中口蓋線を咬合平面板１１の正中線に合せることにより、上記Ｈ．Ｉ．Ｐ．平面を咬合平面板１１の上面に対して平行にセットすることができる。
【００３６】
次いで、上顎基定板９を図２に示した仮想線及び図３の状態に１８０゜開いて、図４に示すように４隅に係止爪ＺＡ…を上向きに設けた磁性板ＺＲを、図５に示すように中央のマグネット１０Ｍの上に載せ、次いで、上記咬合平面板１１上に支持された診断模型ＭＫの上面と、この開いた上顎基定板９の上に石膏を盛った後、上顎基定板９を図８に示すように元の位置に閉じ回動して、診断模型ＭＫを輪ゴムで石膏が硬化するまで上顎基定板９側に固定すれば、上顎診断模型ＭＫを上顎基定板９にマウントできる状態に造ることができる。
【００３７】
その後、形態成形、表面処理等の各種処理を施すことにより、図８，図９に示すように上側部にマウント用の取付台ＭＳを一体形成し、且つ、取付台ＭＳの上面（底面）中央部に図６の拡大断面図、並びに、図８に示すように取付用の磁性板ＺＲを喰い込み固定し、また、磁性板ＺＲを中心とする放射方向に、前記規定部１０…に対応する位置決め部ＭＫ１…を複数本設けると共に、咬合平面板１１の上面に対してＨ．Ｉ．Ｐ．平面を平行な状態にセット可能な上顎診断模型ＭＫを造ることができる。
【００３８】
尚、下顎診断模型ＮＫは、先ず、上記上顎基定板９にマウントした上顎診断模型ＭＫに対して咬合させた状態にして輪ゴムで固定し、その後、図４に示した係止爪ＺＡ…を有する磁性板ＺＲを、図５に示すように中央のマグネット５Ｍの上に載せ、且つ、この下顎診断模型ＮＫと下顎基定板３の間に石膏を盛り込んで、石膏が硬化する迄両基定板３，９を輪ゴム等で固定し、次いで、形態成形、表面処理等の各種処理を施すことによって、図９に示したように下側部にマウント用の取付台ＮＳを一体成形すると共に、取付台ＮＳの底面中央に図６に示すように取付用の磁性板ＺＲを喰い込み固定し、この磁性板ＺＲを中心とする放射方向に、前記規定部５に対応する位置決め部ＮＫ１を複数本設けた下顎診断模型ＮＫを造ることができる。 
【００３９】
以上の如く構成した上顎診断模型ＭＫの咬合異常を診断するには、図８に示すように上顎基定板９に上顎診断模型ＭＫをマウントし、昇降柱７の摘み７Ａを回転操作して、上顎基定板９を下側にセットした咬合平面板１１に上顎診断模型ＭＫが接する迄降下することにより、図１０並びに図１１に示すようにＨ．Ｉ．Ｐ．平面に対する前後及び左右の変異を診断することができる。
【００４０】
また、図１並びに図２において、１３は全体を咬合平面板１１と同様の肉厚で、咬合平面板１１よりも小型の矩形状を成し、且つ、底面には咬合平面板１１の切歯ピンホルダー用嵌込穴１１Ａに差込んで位置決めする取付軸１３Ｂを突設すると共に、セット時に上顎診断模型ＭＫの切歯が係合する先端縁の部分を、斜め下方に傾斜する傾斜面１３Ａとした補助平面板を示す。
【００４１】
図２で仮想線で示したのは、上記の補助平面板１３を上記咬合平面板１１に取付けて、上顎診断模型ＭＫの咬合平面の変異を観察する状態を示したものであって、肉厚の分だけ上顎基定板９の降下を省力化できると共に、切歯を傾斜面１３Ａで逃がして０°平面と正確に対比させることができる。
【００４２】
更に本発明では、下顎診断模型ＮＫを下顎基定板３にマウントすることによって、上顎診断模型ＭＫとの咬合具合を診断することができ、且つ、下顎基定板３を正中線方向に移動することによって上顎診断模型ＭＫとの咬合のズレを調整できると共に、そのズレの度合いを各基定板３，９の前縁に付した目盛３Ａ，９Ａ（図９参照）を見ることによって正確に把握して、治療に役立てることを可能にする。
【００４３】
即ち、上顎と下顎の正常な咬合は、上顎の少し内側に下顎が咬合する状態（第１級）になっているが、下顎が正常な咬合より可成り内側（図面上右方向）にズレている第２級・第１類の場合、下顎が正常な咬合のものより少し内側にズレている第２級・第２類の場合、或は、下顎が逆に上顎よりも前に出張っている第３級の場合のような各種不正咬合に付いては、本発明を用いてこれを容易に、且つ、正確に診断して、治療に役立てることができる。
【００４４】
更に本発明によれば、上記各診断模型ＭＫ，ＮＫを各基定板９，３にマウントする場合は、図６に示すように、各診断模型ＭＫ，ＮＫの底面中央部に夫々喰い込み固定されている磁性板ＺＲ、ＺＲを、各基定板９，３の取付面中央部に設けられているマグネット１０Ｍ，５Ｍに吸着すると共に、各診断模型ＭＫ，ＮＫの底面に形成されている位置決め部ＭＫ１，ＮＫ１…の夫々に、各基定板９，３の取付面に形成されている規定部１０，５…の夫々を合致させれば、各基定板９，３の取付面に対して各診断模型ＭＫ，ＮＫを位置決めした状態で取付けることができ、且つ、その取り外しもマグネット１０Ｍ，５Ｍの吸着力に抗して各診断模型ＭＫ，ＮＫを引き外すだけで、容易に取り外すことができる。従って、図１０乃至図１３に示したブレードと固定棒を用いていた従来の咬合診断器に比較して、各診断模型ＭＫ，ＮＫのマウント作業と、その取り外し作業を頗る簡単に行うことが可能になる。
【図面の簡単な説明】
【００４５】
【図１】本発明に係る咬合診断器の全体を示した斜視図。
【図２】本発明の要部の構成を示した側面図。
【図３】上顎基定板を１８０゜開いた状態を示した平面図。
【図４】磁性板の斜視図。
【図５】上顎基定板と下顎基定板の各取付面部分の構成と磁性板を示した平面図。
【図６】図５のＸ−Ｘ線に沿った断面図。
【図７】上顎診断模型のセット状態を説明した側面図。
【図８】上顎診断模型のマウント状態を説明した側面図。
【図９】上顎と下顎の各診断模型のマウント状態とその咬合状態を説明した斜視図。
【図１０】従来の咬合診断器の側面図。
【図１１】従来の咬合診断器と各診断模型のマウント状態及びその咬合状態を説明した斜視図。
【図１２】従来の診断模型と固定棒を示した底面図。
【図１３】上顎基定板を１８０゜開いて示した従来の咬合診断器の平面図。
【符号の説明】
【００４６】
１            咬合診断器
２            基板
３            下顎基定板
５            規定部
５Ｍ          マグネット
７            昇降柱
９            上顎基定板
９Ｚ          回動支持軸
９Ｈ          ブラケット
１０          規定部
１０Ｍ        マグネット
１１          咬合平面板
ＭＫ          上顎診断模型
ＮＫ          下顎診断模型
ＭＳ，ＮＳ            取付台
ＭＫ、ＮＫ１          位置決め部
ＺＲ          磁性板
ＺＡ          爪部
【図１】
2007037807.tif 000003
【図２】
2007037807.tif 000004
【図３】
2007037807.tif 000005
【図４】
2007037807.tif 000006
【図５】
2007037807.tif 000007
【図６】
2007037807.tif 000008
【図７】
2007037807.tif 000009
【図８】
2007037807.tif 000010
【図９】
2007037807.tif 000011
【図１０】
2007037807.tif 000012
【図１１】
2007037807.tif 000013
【図１２】
2007037807.tif 000014
【図１３】
2007037807.tif 000015